(57)【要約】      （修正有）【課題】望ましい物件データの検索と、望ましい施工例データの検索を１つのシステムで効果的に行うことができ、利便性が高い不動産仲介システムおよび不動産仲介方法を提供する。【解決手段】不動産仲介システム１０において、不動産業者端末３０から物件データを受信して管理する物件データ管理部８１と、施工業者端末９０から施工例データを受信して管理する施工例データ管理部８２と、希望者端末４０から指定される物件条件と適合する物件データを検索し、見つかった物件データを希望者端末４０へ送信でき、かつ、希望者端末４０から指定される施工条件と適合する施工例データを検索し、見つかった施工例データを希望者端末４０へ送信できる検索実行部８３とを有する。【選択図】図１
2020030824.tif 000002
【特許請求の範囲】
【請求項１】
不動産物件を出品する不動産業者の複数の不動産業者端末、不動産物件の購入または賃借を希望する物件希望者の希望者端末、および不動産物件の施工業者の複数の施工業者端末と通信ネットワークで接続されて不動産物件に関する取引の仲介を行う不動産仲介システムであって、
前記不動産業者端末から複数の不動産物件の物件データを受信して管理する物件データ管理部と、
前記施工業者端末から複数の施工例データを受信して管理する施工例データ管理部と、
前記希望者端末から指定される物件条件と適合する物件データを検索し、見つかった前記物件データを前記希望者端末へ送信でき、かつ、前記希望者端末から指定される施工条件と適合する施工例データを検索し、見つかった前記施工例データを前記希望者端末へ送信できる検索実行部と、を有する不動産仲介システム。
【請求項２】
前記検索実行部は、前記希望者端末から指定される物件条件と適合する物件データを、前記物件データ管理部で管理される複数の物件データから検索し、見つかった前記物件データを前記希望者端末へ送信した後、送信した前記物件データから前記希望者端末によって選択される１つの物件データの情報を前記希望者端末から受信し、前記選択された１つの物件データに適合する施工例データを、前記施工例データ管理部で管理される複数の施工例データから検索し、見つかった前記施工例データを前記希望者端末へ送信した後、送信した前記施工例データから前記希望者端末によって選択される１つの施工例データの情報を前記希望者端末から受信することが可能な請求項１に記載の不動産仲介システム。
【請求項３】
前記検索実行部は、前記物件希望者の希望する施工条件と適合する施工例データを、前記施工例データ管理部で管理される複数の施工例データから検索し、見つかった前記施工例データを前記希望者端末へ送信した後、送信した前記施工例データから前記希望者端末によって選択される１つの施工例データの情報を前記希望者端末から受信し、前記選択された１つの施工例データに適合する物件データを、前記物件データ管理部で管理される複数の物件データから検索し、見つかった前記物件データを前記希望者端末へ送信した後、送信した前記物件データから前記希望者端末によって選択される１つの物件データの情報を前記希望者端末から受信することが可能な請求項１または２に記載の不動産仲介システム。
【請求項４】
前記検索実行部は、選択された１つの前記物件データおよび選択された１つの前記施工例データを、前記通信ネットワークを介して、前記物件希望者の審査を行う審査機関の審査機関端末へ送信し、前記審査機関端末から審査結果を受信し、前記審査結果を前記希望者端末へ送信することが可能である請求項１〜３のいずれか１項に記載の不動産仲介システム。
【請求項５】
前記施工例データは、３次元のデジタルモデルデータである請求項１〜４のいずれか１項に記載の不動産仲介システム。
【請求項６】
不動産物件を出品する不動産業者の複数の不動産業者端末、不動産物件の購入または賃借を希望する物件希望者の希望者端末、および不動産物件の施工業者の複数の施工業者端末と通信ネットワークで接続されて不動産物件に関する取引の仲介を行う不動産仲介方法であって、
前記不動産業者端末から複数の不動産物件の物件データを受信するステップと、
前記施工業者端末から複数の施工例データを受信するステップと、
前記希望者端末から指定される物件条件と適合する物件データを検索し、見つかった前記物件データを前記希望者端末へ送信するステップと、
前記希望者端末から指定される施工条件と適合する施工例データを検索し、見つかった前記施工例データを前記希望者端末へ送信するステップと、を有する不動産仲介方法。
【発明の詳細な説明】
【技術分野】
【０００１】
本発明は、通信ネットワークを介した不動産の取引の仲介を行う不動産仲介システムおよび不動産仲介方法に関する。
【背景技術】
【０００２】
近年、インターネットなどの通信ネットワークを介した商取引が盛んに行われている。例えば特許文献１には、販売されている不動産物件を、３次元仮想部屋として確認しながら検索できるシステムが記載されている。
【０００３】
また、例えば特許文献２には、住宅販売主側・リフォーム請負主側のサーバと、販売員・営業員用端末と、顧客端末と、をネットワークを介して接続した住宅販売・リフォーム総合管理システムが記載されている。
【先行技術文献】
【特許文献】
【０００４】
【特許文献１】特開２００１−１９５４９１号公報
【特許文献２】特開２００４−３１８４８２号公報
【発明の概要】
【発明が解決しようとする課題】
【０００５】
特許文献１に記載のシステムは、リフォームやリノベーションを行う施工業者を検索することはできない。また、特許文献２に記載のシステムは、住宅販売主およびリフォーム請負主のサーバと、顧客端末とをネットワークで接続しているが、住宅販売主およびリフォーム請負主を、複数の選択肢から検索するものではない。
【０００６】
本発明は、上述した課題を解決するためになされたものであり、望ましい物件データの検索と、望ましい施工例データの検索とを１つのシステムで効果的に行うことができ、利便性が高い不動産仲介システムおよび不動産仲介方法を提供することを目的とする。
【課題を解決するための手段】
【０００７】
上記目的を達成する不動産仲介システムは、不動産物件を出品する不動産業者の複数の不動産業者端末、不動産物件の購入または賃借を希望する物件希望者の希望者端末、および不動産物件の施工業者の複数の施工業者端末と通信ネットワークで接続されて不動産物件に関する取引の仲介を行う不動産仲介システムであって、前記不動産業者端末から複数の不動産物件の物件データを受信して管理する物件データ管理部と、前記施工業者端末から複数の施工例データを受信して管理する施工例データ管理部と、前記希望者端末から指定される物件条件と適合する物件データを検索し、見つかった前記物件データを前記希望者端末へ送信でき、かつ、前記希望者端末から指定される施工条件と適合する施工例データを検索し、見つかった前記施工例データを前記希望者端末へ送信できる検索実行部と、を有する。
【０００８】
また、上記目的を達成する不動産仲介方法は、不動産物件を出品する不動産業者の複数の不動産業者端末、不動産物件の購入または賃借を希望する物件希望者の希望者端末、および不動産物件の施工業者の複数の施工業者端末と通信ネットワークで接続されて不動産物件に関する取引の仲介を行う仲介制御部における不動産仲介方法であって、前記不動産業者端末から複数の不動産物件の物件データを受信するステップと、前記施工業者端末から複数の施工例データを受信するステップと、前記希望者端末から指定される物件条件と適合する物件データを検索し、見つかった前記物件データを前記希望者端末へ送信するステップと、前記希望者端末から指定される施工条件と適合する施工例データを検索し、見つかった前記施工例データを前記希望者端末へ送信するステップと、を有する。
【発明の効果】
【０００９】
上記のように構成した不動産仲介システムおよび不動産仲介方法は、物件希望者の希望する物件条件と適合する物件データを検索できると共に、物件希望者の希望する施工条件と適合する施工例データを検索できる。このため、本不動産仲介方法は、望ましい物件データの検索と、望ましい施工例データの検索とを１つのシステムで効果的に行うことができ、利便性が高い。
【００１０】
前記検索実行部は、前記希望者端末から指定される物件条件と適合する物件データを、前記物件データ管理部で管理される複数の物件データから検索し、見つかった前記物件データを前記希望者端末へ送信した後、送信した前記物件データから前記希望者端末によって選択される１つの物件データの情報を前記希望者端末から受信し、前記選択された１つの物件データに適合する施工例データを、前記施工例データ管理部で管理される複数の施工例データから検索し、見つかった前記施工例データを前記希望者端末へ送信した後、送信した前記施工例データから前記希望者端末によって選択される１つの施工例データの情報を前記希望者端末から受信することが可能であってもよい。これにより、本不動産仲介システムは、物件条件と適合する物件データを物件希望者が選択した後、その選択された物件データの情報を用いて、より望ましい施工例データを検索できる。
【００１１】
前記検索実行部は、前記物件希望者の希望する施工条件と適合する施工例データを、前記施工例データ管理部で管理される複数の施工例データから検索し、見つかった前記施工例データを前記希望者端末へ送信した後、送信した前記施工例データから前記希望者端末によって選択される１つの施工例データの情報を前記希望者端末から受信し、前記選択された１つの施工例データに適合する物件データを、前記物件データ管理部で管理される複数の物件データから検索し、見つかった前記物件データを前記希望者端末へ送信した後、送信した前記物件データから前記希望者端末によって選択される１つの物件データの情報を前記希望者端末から受信することが可能であってもよい。これにより、本不動産仲介システムは、施工条件と適合する施工例データを物件希望者が選択した後、その選択された施工例データの情報を用いて、望ましい物件データを検索できる。
【００１２】
前記検索実行部は、選択された１つの前記物件データおよび選択された１つの前記施工例データを、前記通信ネットワークを介して、前記物件希望者の審査を行う審査機関の審査機関端末へ送信し、前記審査機関端末から審査結果を受信し、前記審査結果を前記希望者端末へ送信することが可能であってもよい。このため、本不動産仲介システムは、物件希望者により選択された物件および施工例の審査を、迅速かつ容易に行うことができる。
【００１３】
前記施工例データは、３次元のデジタルモデルデータであってもよい。これにより、本不動産仲介システムは、物件希望者が実際のモデルルームを利用せずとも、施工例を正確に理解することができる。したがって、物件の購入（または賃借）および施工の購入を、効果的に促すことができる。
【図面の簡単な説明】
【００１４】
【図１】本実施形態に係る不動産仲介システムの構成を示すブロック図である。
【図２】仲介制御部の物理的構成を示すブロック図である。
【図３】検索選択画面を示す説明図である。
【図４】不動産物件検索画面を示す説明図である。
【図５】物件検索結果表示画面を示す説明図である。
【図６】業者別物件検索結果表示画面を示す説明図である。
【図７】物件候補画面を示す説明図である。
【図８】施工例検索画面を示す説明図である。
【図９】施工例検索結果表示画面を示す説明図である。
【図１０】業者別施工例検索結果表示画面を示す説明図である。
【図１１】施工例候補画面を示す説明図である。
【図１２】施工例検索画面を示す説明図である。
【図１３】不動産物件検索画面を示す説明図である。
【図１４】仲介システムの検索実行部における処理を説明するためのフローチャートである。
【図１５】検索実行部における処理を説明するためのフローチャートである。
【図１６】検索実行部における処理を説明するためのフローチャートである。
【図１７】検索実行部における処理を説明するためのフローチャートである。
【発明を実施するための形態】
【００１５】
以下、図面を参照して、本発明の実施の形態を説明する。本実施形態に係る不動産仲介システム１０は、インターネットなどの通信ネットワーク２０を介して行われる不動産（土地、建物）物件の取引と、建物の施工（リノベーション、リフォームまたは新築工事）の取引とを仲介するシステムである。不動産物件の取引は、売買契約または賃貸借契約である。
【００１６】
仲介システム１０は、図１に示すように、不動産業者が使用する複数の不動産業者端末３０と、物件希望者が使用する複数の希望者端末４０と、取引を仲介する管理者が使用する管理者端末５０と、リノベーション、リフォーム、新築工事等の施工を行う複数の施工業者端末９０と、取引の仲介を制御する仲介制御部７０と、保証金の審査を行う審査機関である複数（または単一）の審査機関端末６０とを備えている。不動産業者端末３０、希望者端末４０、管理者端末５０、施工業者端末９０、仲介制御部７０および審査機関端末６０は、通信ネットワーク２０を介して通信可能に接続されている。保証審査を行う審査機関は、銀行などの金融機関や、保証会社である。なお、不動産業者端末３０、希望者端末４０、管理者端末５０、施工業者端末９０および審査機関端末６０は、通信ネットワーク２０と常時接続されている必要はない。
【００１７】
不動産業者端末３０は、土地や建物等の不動産物件の売買または賃借を希望する不動産業者が、自己（不動産業者）の情報、物件データなどを入力し、さらに物件希望者の情報などを受け取る（受信する）ための端末である。不動産業者端末３０は、例えばパーソナルコンピュータ、携帯電話やタブレットなどの携帯端末、または専用装置などにより構成される。
【００１８】
不動産業者端末３０の仲介制御部７０との通信は、登録時に設定されるＩＤおよびパスワードによりログイン可能な専用サイト内で行われる。また、ログインされていない可能性のある不動産業者端末３０へ仲介制御部７０が通知を行う場合などでは、電子メールにより通知が行われる場合もあり得る。不動産業者端末３０は、不動産業者により入力された不動産業者情報（不動産業者を特定するための情報）や物件データ等を、通信ネットワーク２０を介して仲介制御部７０へ送信し、かつ物件希望者から内覧を求める情報等を、仲介制御部７０から受信して不動産業者へ表示する。図１では、不動産業者端末３０が便宜上２つとなっているが、数は限定されない。
【００１９】
希望者端末４０は、不動産物件の購入または賃借を希望する物件希望者が、物件データの閲覧および検索、デジタルモデルルームの閲覧および検索、内覧の申請、審査機関への保証審査の申請、物件購入契約（または賃貸借契約）の申請、物件の施工（リノベーション、リフォームまたは新築工事）の契約の申請、等を行うために使用する端末である。希望者端末４０は、例えばパーソナルコンピュータ、携帯電話やタブレットなどの携帯型情報端末、または専用装置などにより構成される。
【００２０】
希望者端末４０の仲介制御部７０との通信は、登録時に設定されるＩＤおよびパスワードによりログイン可能な専用サイト内で行われる。また、ログインされていない可能性のある希望者端末４０へ仲介制御部７０が通知を行う場合などでは、電子メールにより通知が行われる場合もあり得る。希望者端末４０は、物件データ等を、通信ネットワーク２０を介して仲介制御部７０から受信して、物件希望者へ表示することができる。また、希望者端末４０は、デジタルモデルルーム等の施工例データの情報を、通信ネットワーク２０を介して仲介制御部７０から受信して、物件希望者へ表示することができる。また、希望者端末４０は、物件希望者により入力された物件希望者情報（物件希望者を特定するための情報）、希望する物件条件（購入または賃借したい物件の条件）、希望する施工条件等を、通信ネットワーク２０を介して仲介制御部７０へ送信することができる。なお、図１では、希望者端末４０が便宜上３つとなっているが、数は限定されない。
【００２１】
施工業者端末９０は、改修工事（リノベーションやリフォーム）や、新築工事等を行う施工業者が、デジタルモデルルームの電子データ等を含む施工例データなどを入力またはアップロードし、さらに物件希望者の情報などを受け取る（受信する）ための端末である。施工業者端末９０は、例えばパーソナルコンピュータ、携帯電話やタブレットなどの携帯端末、または専用装置などにより構成される。
【００２２】
施工業者は、例えば、ハウスメーカーやリノベーション会社、リフォーム会社等である。デジタルモデルルームの電子データは、家または部屋の外観、内観、眺望、間取り等のうち一種以上の動画及び／又は静画、並びに施工業者の情報等を含んでいる。動画及び静画は、ＶＲ（Ｖｉｒｔｕａｌ  Ｒｅａｌｉｔｙ：仮想現実）で作成した２次元または３次元画像、ＡＲ（Ａｕｇｍｅｎｔｅｄ  Ｒｅａｌｉｔｙ：拡張現実）で作成した２次元または３次元画像、ＭＲ（Ｍｉｘｅｄ  Ｒｅａｌｉｔｙ：複合現実）で作成した２次元または３次元画像、３Ｄスキャンカメラで撮影した３次元画像、カメラで撮影した２次元の画像等である。ＡＲは、現実空間にデジタル情報を付加する表現技術である。ＶＲは、全てデジタルで再現された没入型の表現技術である。ＭＲは、現実空間と仮想空間を融合させた表現技術である。デジタルモデルルームの電子データは、３Ｄウォークスルーで表示可能であってもよく、または複数の静画で表示されてもよい。すなわち、デジタルモデルルームの電子データ（デジタルモデルデータ）は、例えば、実際の事例を撮影した２次元または３次元の画像（静画および動画を含む）や、コンピュータグラフィックス（ＣＧ）により作成された２次元または３次元の画像（静画および動画を含む）である場合がある。
【００２３】
施工業者端末９０の仲介制御部７０との通信は、登録時に設定されるＩＤおよびパスワードによりログイン可能な専用サイト内で行われる。また、ログインされていない可能性のある施工業者端末９０へ仲介制御部７０が通知を行う場合などでは、電子メールにより通知が行われる場合もあり得る。施工業者端末９０は、施工業者により入力された施工業者情報（施工業者を特定するための情報）やデジタルモデルルームの情報等を、通信ネットワーク２０を介して仲介制御部７０へ送信し、かつ物件希望者から工事を求める情報等を、仲介制御部７０から受信して施工業者へ表示する。図１では、施工業者端末９０が便宜上２つとなっているが、数は限定されない。
【００２４】
管理者端末５０は、取引の仲介の管理者が操作する端末であり、例えばパーソナルコンピュータ、携帯電話やタブレットなどの携帯型情報端末、または仲介用の専用装置などにより構成される。管理者端末５０は、仲介制御部７０における各プログラムの処理状況を表示したり、管理者が入力することが可能である。管理者端末５０の仲介制御部７０との通信は、仲介制御部７０から付与される管理者用ＩＤおよびパスワードによりログイン可能な管理用サイト内で行われる。また、ログインされていない可能性のある管理者端末５０へ仲介制御部７０が通知を行う場合などでは、電子メールにより通知が行われる場合もあり得る。なお、本実施形態では、管理者端末５０は、仲介制御部７０と別構成として定義されているが、仲介制御部７０に含まれる構成とすることもできる。また、管理者端末５０は、複数設けられてもよく、機能毎に端末が複数に分割されてもよい。
【００２５】
審査機関端末６０は、審査機関が、不動産物件の購入、賃借および工事の少なくとも１つを希望する物件希望者からの保証審査の申請を受け取り、審査結果を送信するために使用する端末である。審査機関端末６０は、例えばパーソナルコンピュータ、携帯電話やタブレットなどの携帯型情報端末、または専用装置などにより構成される。審査機関端末６０は、通信ネットワーク２０上の専用サイト内で登録手続きを行うことで、仲介制御部７０と通信することが可能となる。
【００２６】
審査機関端末６０の仲介制御部７０との通信は、登録時に設定されるＩＤおよびパスワードによりログイン可能な専用サイト内で行われる。また、ログインされていない可能性のある審査機関端末６０へ仲介制御部７０が通知を行う場合などでは、電子メールにより通知が行われる場合もあり得る。審査機関端末６０は、不動産物件の購入、賃借および工事の少なくとも１つを希望する物件希望者からの保証審査の申請を、通信ネットワーク２０を介して仲介制御部７０から受信し、審査結果を、仲介制御部７０へ送信する。なお、本実施形態では、審査機関端末６０は複数存在する。図１では、審査機関端末６０が便宜上２つとなっているが、数は限定されない。審査機関は、例えば銀行や保証会社である。
【００２７】
仲介制御部７０は、希望者端末４０、不動産業者端末３０、管理者端末５０、施工業者端末９０および審査機関端末６０と通信ネットワーク２０を介して通信可能に接続されている。仲介制御部７０は、通信ネットワーク２０を介した不動産物件の売買または賃貸借の契約、並びに工事の契約の仲介を行うための大容量のサーバ装置やコンピュータである。仲介制御部７０は、ハードウェアの物理的構成として、図２に示すように、記憶装置７１と、処理装置７２と、通信装置７３とを備えている。
【００２８】
記憶装置７１は、例えばＲＡＭ（Ｒａｎｄｏｍ  Ａｃｃｅｓｓ  Ｍｅｍｏｒｙ）、フラッシュメモリ（Ｆｌａｓｈ  Ｍｅｍｏｒｙ）等の半導体メモリ素子、または、ハードディスク、光ディスク等である。記憶装置７１は、不動産業者情報、物件情報、物件希望者情報、施工業者情報、施工例データ、プログラム等を、処理の状況に応じて書き込み、または読み出すことができる。
【００２９】
処理装置７２は、例えばＣＰＵ（Ｃｅｎｔｒａｌ  Ｐｒｏｃｅｓｓｉｎｇ  Ｕｎｉｔ）、ＭＰＵ（Ｍｉｃｒｏ  Ｐｒｏｃｅｓｓｉｎｇ  Ｕｎｉｔ）等である。処理装置７２は、記憶装置７１に記憶されているプログラムを、ＲＡＭを作業領域として実行させて演算処理を行い、プログラムに従って通信装置７３や記憶装置７１を作動させて、取引の仲介を通信ネットワーク２０上で実行する。
【００３０】
通信装置７３は、通信ネットワーク２０を介して接続された希望者端末４０、不動産業者端末３０、管理者端末５０および審査機関端末６０と通信を行うためのインターフェース装置である。通信装置７３は、多数の希望者端末４０、多数の不動産業者端末３０、多数の審査機関端末６０、施工業者端末９０および管理者端末５０と同時にまたは別々に通信可能である。
【００３１】
取引の仲介を実行する仲介制御部７０は、論理的な構成として、図１に示すように、不動産業者の情報を管理する物件データ管理部８１と、施工業者の情報を管理する施工例データ管理部８２と、物件希望者の条件に合う物件および施工例を検索する検索実行部８３と、を有している。
【００３２】
物件データ管理部８１は、不動産業者端末３０から入力またはアップロードされる物件の情報を受け付けて、これらの情報を管理（読み出し可能に記憶）する。物件データ管理部８１は、不動産業者となることを希望する業者や個人が操作する不動産業者端末３０から、通信ネットワーク２０を介して不動産業者情報と不動産物件情報とを受け付け、記憶装置７１に保存する。不動産業者情報は、例えば、氏名、住所、電話番号、メールアドレス、職業、指定可能（対応可能）な審査機関等である。指定可能な審査機関は、不動産業者が出品する物件について、物件希望者からの要望に基づき、物件希望者の保障審査を行うことが可能な機関である。不動産業者は、１または複数の審査機関を、不動産業者情報として登録できる。
【００３３】
物件データ管理部８１は、登録されている不動産業者の不動産業者端末３０から、新たな不動産物件の物件データを受信すると、記憶装置７１に保存する。物件データは、例えば、価格、カテゴリ（一戸建て、マンション、ワンルーム、土地等）、面積、間取り、築年数、地域、階数、方角、間口、接面道路の種類、接面道路の幅員、地形、地勢等であるが、これらに限定されない。
【００３４】
施工例データ管理部８２は、施工業者端末９０から入力またはアップロードされる施工例データ（例えば、デジタルモデルルームの電子データ）を受け付けて、これらの情報を管理（読み出し可能に記憶）する。施工例データ管理部８２は、施工業者となることを希望する業者や個人が操作する施工業者端末９０から、通信ネットワーク２０を介して施工業者情報と施工例データとを受け付け、記憶装置７１に保存する。施工業者情報は、例えば、氏名、住所、電話番号、メールアドレス、指定可能（対応可能）な審査機関等である。指定可能な審査機関は、不動産業者が出品する物件について、物件希望者からの要望に基づき、物件希望者の保障審査を行うことが可能な機関である。施工業者は、１または複数の審査機関を、施工業者情報として登録できる。
【００３５】
施工例データ管理部８２は、登録されている施工業者の施工業者端末９０から、新たな施工例データを受信すると、記憶装置７１に保存する。施工例データは、例えば、デジタルモデルルームの電子データ、価格、テーマ（例えば、暮らしやすい・住みやすい、趣味を楽しむ暮らし、カフェ風、おもてなしができる暮らし等）、素材（例えば、無垢材、タイル、自然素材、コンクリート現し）、住宅性能（例えば、断熱、バリアフリー、耐震、省エネ）、構造、カテゴリ（例えば、一戸建て、マンション、ワンルーム、土地等）、面積（土地適用面積、建物面積）、間取り、工事可能地域、階数、その他のコメント等であるが、これらに限定されない。
【００３６】
次に、検索実行部８３における処理を、図１４〜１７に示すフローチャートを参照しつつ説明する。
【００３７】
検索実行部８３は、不動産物件の購入（または賃借）および施工を希望する物件希望者の希望者端末４０が、通信ネットワーク２０を介して仲介制御部７０に接続されると、図３に示すように、不動産物件データの検索または施工例データの検索を選択可能な検索選択画面１００を、希望者端末４０に閲覧可能に送信する（ステップＳ１０）。検索選択画面１００には、不動産物件データの検索を選択するための不動産物件検索ボタン１０１と、施工例データの検索を選択するための施工例検索ボタン１０２とを備えている。物件希望者が、希望者端末４０により不動産物件検索ボタン１０１を押すと（ステップＳ１１）、検索実行部８３は、希望者端末４０からその信号を受け取る。この後、検索実行部８３は、図４に示す不動産物件検索画面１１０を、希望者端末４０に閲覧可能に送信する（ステップＳ１２）。
【００３８】
不動産物件検索画面１１０には、希望者端末４０から、物件希望者が希望する物件条件を、入力可能である。物件条件は、実在する物件データと比較する情報であるため、物件データに含まれる情報と比較可能であることが好ましく、例えば、価格、カテゴリ（一戸建て、マンション、ワンルーム、土地等）、面積、間取り、築年数、地域、階数、方角、間口、接面道路の種類、接面道路の幅員、地形、地勢等の少なくとも１つである。なお、物件条件は、希望者のデータとして登録されて記憶装置７１に保存されてもよい。この場合、検索実行部８３は、物件条件を、記憶装置７１から読み出すことができる。不動産物件検索画面１１０への物件条件の入力は、選択可能なチェックボックス１１１や、文字を入力可能な記入ボックス１１２が設けられるが、情報を入力可能であれば、方法は限定されない。
【００３９】
不動産物件検索画面１１０に物件条件が入力された後、希望者端末４０から検索実行ボタン１１３が押されると、検索実行部８３は、記憶装置７１に保存された物件データと、不動産物件検索画面１１０に記入された物件条件を比較し、物件条件に適合する物件データを検索する（ステップＳ１３）。次に、検索実行部８３は、図５に示すように、検索された全ての物件データを表示する物件検索結果表示画面１２０を、物件希望者の希望者端末４０に閲覧可能に送信する（ステップ１４）。検索された物件データは、０個であることもある。物件データが多い場合には、物件検索結果表示画面１２０は、複数のページで構成されてもよい。
【００４０】
物件検索結果表示画面１２０には、検索された各物件データを示す物件データ表示部１２１が表示される。物件データ表示部１２１は、希望者端末４０から選択可能なチェックボックス１２３と、物件を出品している不動産業者を示す不動産業者ボタン１２２とが設けられる。物件データ表示部１２１は、さらに他の情報が表示されてもよく、例えば、面積、価格、間取り図等が表示される。物件希望者が希望者端末４０から物件データ表示部１２１を押す（例えば、クリック）すると、検索実行部８３は、その物件の詳細（例えば、物件データの全て）を希望者端末４０に閲覧可能に送信する。物件希望者は、購入（または賃借）の候補として、１つ以上の物件のチェックボックス１２３を、希望者端末４０からチェックを入れるように選択することができる。
【００４１】
物件希望者が、希望者端末４０から不動産業者ボタン１２２を押すと、検索実行部８３は、希望者端末４０からその信号を受け取る。この後、検索実行部８３は、図６に示す業者別物件検索結果画面１３０を、希望者端末４０に閲覧可能に送信する。業者別物件検索結果画面１３０には、選択した不動産業者（図６ではＡ社）の、物件条件に適合する物件データが、物件データ表示部１２１として表示される。物件希望者が、業者別物件検索結果画面１３０から、さらにチェックボックス１２３を選択し、購入（または賃借）の候補を増やしたり減らしたりすることができる。
【００４２】
物件希望者が、図５に示す物件検索結果表示画面１２０または図６に示す業者別物件検索結果画面１３０において、希望者端末４０から物件候補ボタン１２４が押すと（ステップＳ１５）、検索実行部８３は、希望者端末４０からその信号を受け取る。検索実行部８３は、チェックボックス１２３をチェックされている物件データ表示部１２１の不動産物件を、購入（または賃借）の候補として、記憶装置７１に保存する（ステップＳ１６）。
【００４３】
物件希望者が、図５に示す物件検索結果表示画面１２０または図６に示す業者別物件検索結果画面１３０において、希望者端末４０から物件候補表示ボタン１２５が押すと（ステップＳ１７）、検索実行部８３は、希望者端末４０からその信号を受け取る。検索実行部８３は、図７に示すように、チェックボックス１２３をチェックされている全ての物件データ表示部１２１を購入（または賃借）の候補として示す物件候補画面１４０を、希望者端末４０に閲覧可能に送信する（ステップＳ１８）。
【００４４】
物件候補画面１４０には、チェックボックス１２３をチェックされている全ての物件データ表示部１２１が表示される。物件希望者が、図７に示す物件候補画面１４０において、最終的に１つのみの物件データ表示部１２１のチェックボックス１４１をチェックして選択し、物件候補決定ボタン１４２が押すと（ステップＳ１９）、検索実行部８３は、希望者端末４０からその信号を受け取る。検索実行部８３は、チェックボックス１４１をチェックされている１つの物件データ表示部１２１の不動産物件を、購入（または賃借）の最終候補として、記憶装置７１に保存する（ステップＳ２０）。
【００４５】
物件希望者が、物件候補画面１４０において、希望者端末４０から物件候補決定ボタン１４２が押すと、検索実行部８３は、図８に示すように、施工例検索画面１５０を、希望者端末４０に閲覧可能に送信する（ステップＳ２１）。
【００４６】
施工例検索画面１５０には、希望者端末４０から、希望者が希望する施工条件を、入力可能である。施工条件は、施工例データと比較する情報であるため、施工例データと比較可能な情報であることが好ましく、例えば、価格、テーマ（例えば、暮らしやすい・住みやすい、趣味を楽しむ暮らし、カフェ風、おもてなしができる暮らし等）、素材（例えば、無垢材、タイル、自然素材、コンクリート現し）、住宅性能（例えば、断熱、バリアフリー、耐震、省エネ）、構造、カテゴリ（例えば、一戸建て、マンション、ワンルーム、土地等）、面積（土地適用面積、建物面積）、間取り、工事可能地域、階数、その他のコメント等の少なくとも１つである。
【００４７】
施工条件の一部（図８の鎖線で示す範囲１５３内のデータ）は、施工例検索画面１５０において、希望者端末４０から入力される。図８に示す施工条件のうち、範囲１５３以外のデータは、前述の物件検索（ステップＳ２０）において最終候補として選択された物件データから抽出される。すなわち、前述の物件検索に使用した物件条件からではなく、最終的に候補となった物件データから、施工条件の一部を抽出している。物件条件は、ある程度の広い範囲を持つデータであるのに対し、最終的に候補として選択された物件データは、特定された値（または、より狭い範囲内の値）のデータであり得る。このため、施工条件に、最終的に候補となった物件データの特定の値（または、より狭い範囲内の値）を用いて、より適切な検索が可能となる。一例として、物件条件に使用した面積が、５０〜１００ｍ２であり（図４を参照）、最終候補として選択された物件データの面積が８０ｍ２であった場合（図７を参照）、施工条件の面積には、特定の値として８０ｍ２、またはより狭い範囲として８０〜１００ｍ２等の値を利用できる（図８を参照）。したがって、物件条件に使用した面積（５０〜１００ｍ２）を用いるよりも、適切な検索が可能となる。なお、施工例検索に使用する施工条件に、最終的に候補となった物件データの値ではなく、前述の物件検索に使用した物件条件の値を利用してもよい。また、施工例検索に使用する施工条件は、全て施工例検索画面１５０から入力されてもよい。
【００４８】
なお、施工条件は、希望者のデータとして登録されて記憶装置７１に保存されてもよい。この場合、検索実行部８３は、施工条件を、記憶装置７１から読み出すことができる。施工例検索画面１５０への施工条件の入力のために、選択可能なチェックボックス１５１や、文字を入力可能な記入ボックス１５２が設けられるが、情報を入力可能であれば、入力方法は限定されない。
【００４９】
施工例検索画面１５０に施工条件が入力された後、希望者端末４０から検索実行ボタン１５４が押されると、検索実行部８３は、記憶装置７１に保存された施工例データと、施工例検索画面１５０に記入された施工条件を比較し、施工条件に適合する施工例データを検索する（ステップＳ２２）。次に、検索実行部８３は、図９に示すように、検索された全ての施工例データを表示する施工例検索結果表示画面１６０を、希望者端末４０に閲覧可能に送信する（ステップ２３）。検索された物件データは、存在しないこともある。物件データが多い場合には、施工例検索結果表示画面１６０は、複数のページで構成されてもよい。
【００５０】
施工例検索結果表示画面１６０には、検索された各施工例データを示す施工例データ表示部１６１が表示される。施工例データ表示部１６１は、希望者端末４０から選択可能なチェックボックス１６３と、施工例を出品している施工業者を示す施工業者ボタン１６２とが設けられる。施工例データ表示部１６１は、さらに他の情報が表示されてもよく、例えば、面積、価格、デジタルモデルルームの電子データ等が表示される。デジタルモデルルームの電子データは、前述したように、３Ｄウォークスルーで表示可能であってもよく、または複数の静画で表示されてもよい。３Ｄウォークスルーで表示される画像は、実際に歩いて回っているように自動で再生されてもよく、またはキーボード操作、マウス操作、タッチ操作等によってデジタルモデルルーム内を任意に移動するように表示されてもよい。３次元画像は、希望者端末４０から画像を３次元で認識可能とするヘッドマウントディスプレイ等で表示されてもよい。
【００５１】
物件希望者が希望者端末４０から施工例データ表示部１６１のいずれかをクリックすると、検索実行部８３は、その施工例の詳細（例えば、全ての施工例データ）を希望者端末４０に閲覧可能に送信する。物件希望者は、購入する施工例の候補として、１つ以上の施工例データ表示部１６１のチェックボックス１６３を、希望者端末４０からチェックを入れるように選択することができる。
【００５２】
物件希望者が、希望者端末４０から施工業者ボタン１６２を押すと、検索実行部８３は、希望者端末４０からその信号を受け取る。この後、検索実行部８３は、図１０に示す業者別施工例検索結果画面１７０を、希望者端末４０に閲覧可能に送信する。業者別施工例検索結果画面１７０には、選択した施工業者（図１０ではＥ社）の、施工条件に適合する（または適合しない）施工例データが、施工例データ表示部１６１として表示される。物件希望者が、業者別施工例検索結果画面１７０から、さらにチェックボックス１６３を選択し、購入（または賃借）の候補を増やしたり減らしたりすることができる。
【００５３】
物件希望者が、図９に示す施工例検索結果表示画面１６０または図１０に示す業者別施工例検索結果画面１７０において、希望者端末４０から施工例候補ボタン１６４が押すと（ステップＳ２４）、検索実行部８３は、希望者端末４０からその信号を受け取る。検索実行部８３は、チェックボックス１６３をチェックされている施工例データ表示部１６１の不動産物件を、購入する施工の候補として、記憶装置７１に保存する（ステップＳ２５）。
【００５４】
物件希望者が、図９に示す施工例検索結果表示画面１６０または図１０に示す業者別施工例検索結果画面１７０において、希望者端末４０から施工例候補表示ボタン１６５を押すと（ステップＳ２６）、検索実行部８３は、希望者端末４０からその信号を受け取る。検索実行部８３は、図１１に示すように、チェックボックス１６３をチェックされている施工例データ表示部１６１を示す施工例候補画面１８０を、希望者端末４０に閲覧可能に送信する（ステップＳ２７）。
【００５５】
施工例候補画面１８０には、チェックボックス１６３をチェックされている全ての施工例データ表示部１６１が表示される。物件希望者が、図１１に示す施工例候補画面１８０において、最終的に１つの施工例データ表示部１６１のみのチェックボックス１８１をチェックして選択し、施工例候補決定ボタン１８２を押すと（ステップＳ２８）、検索実行部８３は、希望者端末４０からその信号を受け取る。検索実行部８３は、チェックボックス１８１をチェックされている１つの施工例データ表示部１６１の不動産物件を、購入する施工の最終候補として、記憶装置７１に保存する（ステップＳ２９）。検索実行部８３は、候補となっている物件および施工例を、購入（または賃借）する物件および購入する施工に決定（または仮決定）する（ステップＳ３０）。
【００５６】
また、前述したステップＳ１０の後、図３に示す検索選択画面１００において、物件希望者が、希望者端末４０により不動産物件検索ボタン１０１ではなく施工例検索ボタン１０２を押すと（ステップＳ１１）、検索実行部８３は、希望者端末４０からその信号を受け取る。この後、検索実行部８３は、図１２に示す施工例検索画面１９０を、希望者端末４０に閲覧可能に送信する（ステップＳ３１）。前述のステップＳ１２〜ステップＳ３０は、物件を検索した後に、物件に適合する施工例を検索する行程であるのに対し、ステップＳ３１〜Ｓ４９は、施工例を検索した後に、施工例に適合する物件を検索する行程である。
【００５７】
施工例検索画面１９０には、希望者端末４０から、希望者が希望する施工条件を入力可能である。なお、以降、前述と同様の機能を有する部位には、同一の符号を付し、説明を省略する。
【００５８】
施工例検索画面１９０に施工条件が入力された後、希望者端末４０から検索実行ボタン１５４が押されると、検索実行部８３は、記憶装置７１に保存された施工例データと、施工例検索画面１９０に記入された施工条件を比較し、施工条件に適合する施工例データを検索する（ステップＳ３２）。次に、検索実行部８３は、図９に示すように、検索された全ての施工例データを表示する施工例検索結果表示画面１６０を、希望者端末４０に閲覧可能に送信する（ステップ３３）。物件希望者は、購入する施工例の候補として、１つ以上の施工例データ表示部１６１のチェックボックス１６３を、希望者端末４０からチェックを入れるように選択することができる。物件希望者が、希望者端末４０から施工業者ボタン１６２を押すと、検索実行部８３は、図１０に示す業者別施工例検索結果画面１７０を、希望者端末４０に閲覧可能に送信する。
【００５９】
物件希望者が、図９に示す施工例検索結果表示画面１６０または図１０に示す業者別施工例検索結果画面１７０において、希望者端末４０から施工例候補ボタン１６４が押すと（ステップＳ３４）、検索実行部８３は、希望者端末４０からその信号を受け取る。検索実行部８３は、チェックボックス１６３をチェックされている施工例データ表示部１６１の不動産物件を、購入する施工の候補として、記憶装置７１に保存する（ステップＳ３５）。
【００６０】
物件希望者が、図９に示す施工例検索結果表示画面１６０または図１０に示す業者別施工例検索結果画面１７０において、希望者端末４０から施工例候補表示ボタン１６５を押すと（ステップＳ３６）、検索実行部８３は、希望者端末４０からその信号を受け取る。検索実行部８３は、図１１に示すように、購入の候補を示す施工例候補画面１８０を、希望者端末４０に閲覧可能に送信する（ステップＳ３７）。
【００６１】
施工例候補画面１８０には、チェックボックス１６３をチェックされている全ての施工例データ表示部１６１が表示される。物件希望者が、図１１に示す施工例候補画面１８０において、最終的に１つの施工例データ表示部１６１のみのチェックボックス１８１をチェックして選択し、施工例候補決定ボタン１８２を押すと（ステップＳ３８）、検索実行部８３は、希望者端末４０からその信号を受け取る。検索実行部８３は、チェックボックス１８１をチェックされている１つの施工例データ表示部１６１の不動産物件を、購入する施工の最終候補として、記憶装置７１に保存する（ステップＳ３９）。
【００６２】
物件希望者が、施工例候補画面１８０において、希望者端末４０から施工例候補決定ボタン１８２が押すと、検索実行部８３は、図１３に示すように、物件検索画面２００を、希望者端末４０に閲覧可能に送信する（ステップＳ４０）。
【００６３】
物件検索画面２００には、希望者端末４０から、物件希望者が希望する物件条件を、入力可能である。物件条件は、実在する物件データと比較する情報であるため、物件データに含まれる情報と比較可能であることが好ましく、例えば、価格、カテゴリ（一戸建て、マンション、ワンルーム、土地等）、面積、間取り、築年数、地域、階数、方角、間口、接面道路の種類、接面道路の幅員、地形、地勢等の少なくとも１つである。なお、物件条件は、希望者のデータとして登録されて記憶装置７１に保存されてもよい。この場合、検索実行部８３は、物件条件を、記憶装置７１から読み出すことができる。不動産物件検索画面１１０への物件条件の入力は、選択可能なチェックボックス１１１や、文字を入力可能な記入ボックス１１２が設けられるが、情報を入力可能であれば、方法は限定されない。
【００６４】
物件条件の一部（図２００の鎖線で示す範囲２０１内のデータ）は、物件検索画面２００において、希望者端末４０から入力される。図１３に示す物件条件のうち、範囲２０１以外のデータは、前述の施工例検索（ステップＳ３９）において最終候補として選択された施工例データから抽出される。すなわち、前述の施工例検索に使用した施工条件からではなく、最終的に候補となった施工例データから、物件条件の一部を抽出している。施工条件は、ある程度の広い範囲を持つデータであるのに対し、最終的に候補として選択された施工例データは、特定された値（または、より狭い範囲内の値）のデータであり得る。このため、物件条件に、最終的に候補となった施工例データの特定の値（または、より狭い範囲内の値）を用いて、より適切な検索が可能となる。一例として、施工条件に使用した面積が、５０〜１００ｍ２であり（図１２を参照）、最終候補として選択された物件データの面積が８０ｍ２であった場合、物件条件の面積には、特定の値として８０ｍ２、または狭い範囲として８０〜１００ｍ２等の値を利用できる（図１３を参照）。したがって、施工条件に使用した面積（５０〜１００ｍ２）を用いるよりも、適切な検索が可能となる。なお、物件検索に使用する物件条件に、最終的に候補となった施工例データの値ではなく、前述の施工例検索に使用した施工条件の値を利用してもよい。また、物件検索に使用する物件条件は、全て物件検索画面２００から入力されてもよい。
【００６５】
なお、物件条件は、希望者のデータとして登録されて記憶装置７１に保存されてもよい。この場合、検索実行部８３は、物件条件を、記憶装置７１から読み出すことができる。
【００６６】
不動産物件検索画面２００に物件条件が入力された後、希望者端末４０から検索実行ボタン１１３が押されると、検索実行部８３は、記憶装置７１に保存された物件データと、不動産物件検索画面２００に記入された物件条件を比較し、物件条件に適合する物件データを検索する（ステップＳ４１）。次に、検索実行部８３は、図５に示すように、検索された全ての物件データを表示する物件検索結果表示画面１２０を、物件希望者の希望者端末４０に閲覧可能に送信する（ステップ４２）。物件希望者が、希望者端末４０から不動産業者ボタン１２２を押すと、検索実行部８３は、図６に示す業者別物件検索結果画面１３０を、希望者端末４０に閲覧可能に送信する。
【００６７】
物件希望者が、図５に示す物件検索結果表示画面１２０または図６に示す業者別物件検索結果画面１３０において、希望者端末４０から物件候補ボタン１２４が押すと（ステップＳ４３）、検索実行部８３は、希望者端末４０からその信号を受け取る。検索実行部８３は、チェックボックス１２３をチェックされている物件データ表示部１２１の不動産物件を、購入（または賃借）の候補として、記憶装置７１に保存する（ステップＳ４４）。
【００６８】
物件希望者が、図５に示す物件検索結果表示画面１２０または図６に示す業者別物件検索結果画面１３０において、希望者端末４０から物件候補表示ボタン１２５が押すと（ステップＳ４５）、検索実行部８３は、希望者端末４０からその信号を受け取る。検索実行部８３は、図７に示すように、購入（または賃借）の候補を示す物件候補画面１４０を、希望者端末４０に閲覧可能に送信する（ステップＳ４６）。
【００６９】
物件候補画面１４０には、チェックボックス１２３をチェックされている全ての物件データ表示部１２１が表示される。物件希望者が、図７に示す物件候補画面１４０において、最終的に１つの物件データ表示部１２１のみのチェックボックス１４１をチェックして選択し、物件候補決定ボタン１４２が押すと（ステップＳ４７）、検索実行部８３は、希望者端末４０からその信号を受け取る。検索実行部８３は、チェックボックス１４１をチェックされている１つの物件データ表示部１２１の不動産物件を、購入（または賃借）の最終候補として、記憶装置７１に保存する（ステップＳ４８）。検索実行部８３は、候補となっている物件および施工例を、購入する物件および施工に決定（または仮決定）する（ステップＳ４９）。
【００７０】
この後、検索実行部８３は、この決定を、不動産業者端末３０、希望者端末４０、管理者端末５０、施工業者端末９０へ通知する。この後、検索実行部８３は、希望者端末４０から、通信ネットワーク２０を介して、物件希望者情報を要求する。物件希望者情報は、例えば、氏名、住所、電話番号、メールアドレス、身分証明書のコピー、賃借時期、職種（自営業、会社員）、職業、勤務先情報、収入証明書、選択する審査機関、保証審査のために審査機関へ送信する審査用情報等の少なくとも１つを含んでいる。審査用情報は、例えば、職種（自営業、会社員）、職業、勤務先情報、収入証明書等である。検索実行部８３は、希望者端末４０から保証審査を要求される場合、購入（または賃借）する予定の物件および施工の情報と、物件希望者情報を、審査機関端末６０へ送信する。希望者端末４０は、審査機関端末６０からの保証審査の結果を、検索実行部８３を介して受け取り、希望者端末４０へ送信することができる。
【００７１】
また、検索実行部８３は、希望者端末４０へ、不動産業者および施工業者の連絡先を送信すると共に、不動産業者端末３０および施工業者端末９０へ、物件希望者の連絡先（例えば、上記の物件希望者情報の氏名、住所、電話番号、メールアドレス）を送信する。これにより、物件希望者は、物件の内覧や、施工の詳細検討（施工例からの修正等）を行うことができる。
【００７２】
以上のように、本実施形態に係る不動産仲介システム１０は、不動産物件を出品する不動産業者の複数の不動産業者端末３０、不動産物件の購入または賃借を希望する物件希望者の希望者端末４０、および不動産物件の施工業者の複数の施工業者端末９０と通信ネットワークで接続されて不動産物件に関する取引の仲介を行う不動産仲介システム１０であって、不動産業者端末３０から複数の不動産物件の物件データを受信して管理する物件データ管理部８１と、施工業者端末９０から複数の施工例データを受信して管理する施工例データ管理部８２と、希望者端末４０から指定される物件条件と適合する物件データを検索し、見つかった物件データを希望者端末４０へ送信でき、かつ、希望者端末４０から指定される施工条件と適合する施工例データを検索し、見つかった施工例データを希望者端末４０へ送信できる検索実行部８３と、を有する。
【００７３】
上記のように構成した不動産仲介システム１０は、物件希望者の希望する物件条件と適合する物件データを検索できると共に、物件希望者の希望する施工条件と適合する施工例データを検索できる。このため、本不動産仲介システム１０は、望ましい物件データの検索と、望ましい施工例データの検索とを１つのシステムで効果的に行うことができ、利便性が高い。
【００７４】
また、検索実行部８３は、希望者端末４０から指定される物件条件と適合する物件データを、物件データ管理部８１で管理される複数の物件データから検索し、見つかった物件データを希望者端末４０へ送信した後、送信した物件データから希望者端末４０によって選択される１つの物件データの情報を希望者端末４０から受信し、選択された１つの物件データに適合する施工例データを、施工例データ管理部８２で管理される複数の施工例データから検索し、見つかった施工例データを希望者端末４０へ送信した後、送信した施工例データから希望者端末４０によって選択される１つの施工例データの情報を希望者端末４０から受信することが可能である。これにより、本不動産仲介システム１０は、物件条件と適合する物件データを物件希望者が選択した後、その選択された物件データの情報を用いて、より望ましい施工例データを検索できる。
【００７５】
また、検索実行部８３は、物件希望者の希望する施工条件と適合する施工例データを、施工例データ管理部８２で管理される複数の施工例データから検索し、見つかった施工例データを希望者端末４０へ送信した後、送信した施工例データから希望者端末４０によって選択される１つの施工例データの情報を希望者端末４０から受信し、選択された１つの施工例データに適合する物件データを、物件データ管理部８１で管理される複数の物件データから検索し、見つかった物件データを希望者端末４０へ送信した後、送信した物件データから希望者端末４０によって選択される１つの物件データの情報を希望者端末４０から受信することが可能である。これにより、本不動産仲介システム１０は、施工条件と適合する施工例データを物件希望者が選択した後、その選択された施工例データの情報を用いて、望ましい物件データを検索できる。
【００７６】
また、検索実行部８３は、選択された１つの物件データおよび選択された１つの施工例データを、通信ネットワークを介して、物件希望者の審査を行う審査機関の審査機関端末６０へ送信し、審査機関端末６０から審査結果を受信し、審査結果を希望者端末４０へ送信することが可能であってもよい。このため、本不動産仲介システム１０は、物件希望者により選択された物件および施工例の審査を、迅速かつ容易に行うことができる。
【００７７】
また、施工例データは、３次元のデジタルモデルデータである。このため、本不動産仲介システム１０は、物件希望者が実際のモデルルームを利用せずとも、施工例を正確に理解することができる。したがって、物件の購入（または賃借）および施工の購入を、効果的に促すことができる。
【００７８】
なお、本発明は、上述した実施形態のみに限定されるものではなく、本発明の技術的思想内において当業者により種々変更が可能である。例えば、図９に示すように、デジタルモデルルーム内の物品１６６（例えば、家具、装飾品、電化製品等）を、本システムから選択して購入できてもよい。この場合、仲介システム１０には、物品の販売を行う業者の端末が通信ネットワーク２０を介して接続される。
【００７９】
また、不動産業者端末３０、希望者端末４０、管理者端末５０および審査機関端末６０へ情報を送信する方法は、電子的な方法であれば専用サイトによる送信に限定されず、例えば電子メールであってもよい。
【００８０】
希望者端末４０により、デジタルモデルルーム内の物件の情報（例えば、使用されている床や壁の素材、色、設備、家具、家電の配置等）を自在に変更して表示可能であってもよい。この場合、変更に応じて、価格等が自動で算出されもよい。
【００８１】
また、希望者端末４０では、仮想の展示場（デジタルショールーム）が表示されてもよい。仮想の展示場では、例えば施工業者、不動産業者等が仮想の店舗を構えることができる。例えば、各店舗には、ＡＩチャットボットを配置してもよい。物件希望者は、希望者端末４０によって、ゲーム感覚で各店舗に入り、デジタルモデルルームを閲覧したり、検索したりすることができる。仮想のマンション１棟の各階ごとにジャンルを分け、各部屋ごとに違う業者のデジタルモデルルームが置かれてもよい。また、希望者端末４０により、デジタルモデルルーム内の物件の情報（例えば、使用される床や壁の素材、色、設備、家具、家電の配置等）を自在に変更して表示可能であってもよい。この場合、変更に応じて、価格等が自動で算出されもよい。
【００８２】
また、物件希望者が物件検索を行って不動産物件が選択された後（例えば、ステップＳ１９を参照）に、検索実行部８３は、選択された不動産物件の物件データと適合可能な施工例データを、自動的に検索してもよい。すなわち、検索実行部８３は、選択された不動産物件の物件データと、記憶装置７１に保存された施工例データとを比較し、選択された不動産物件の物件データ（価格、カテゴリ、面積、間取り等）に適合可能な施工例データを検索する。次に、検索実行部８３は、検索された施工例データを表示する施工例検索結果表示画面１６０を、希望者端末４０に閲覧可能に送信する。施工例データの検索に使用可能な施工条件は、物件希望者が物件検索を行って不動産物件を選択する前のいずれかの段階で、入力されてもよい。例えば、物件条件と同時に入力されてもよい。なお、物件データに含まれていない施工条件は、入力されなくてもよい。この場合、施工条件は詳細に入力されてないため、選択された不動産物件の物件データと適合可能な施工例データが多くなる可能性があるが、十分に検索可能である。例えば、検索実行部８３は、不動産物件に適合可能な施工例データを、人工知能（ＡＩ：Ａｒｔｉｆｉｃｉａｌ  Ｉｎｔｅｌｌｉｇｅｎｃｅ）によって自動で検索して、希望者端末４０に閲覧可能に送信してもよい。
【００８３】
また、物件希望者が施工例検索を行って施工例が選択された後（例えば、ステップＳ３８を参照）に、検索実行部８３は、選択された施工例データと適合可能な物件データを、自動的に検索してもよい。すなわち、検索実行部８３は、選択された施工例データと、記憶装置７１に保存された物件データとを比較し、選択された施工例データに適合可能な物件データを検索する。次に、検索実行部８３は、検索された物件データを表示する物件検索結果表示画面１２０を、希望者端末４０に閲覧可能に送信する。物件データの検索に使用可能な物件条件は、物件希望者が施工例検索を行って施工例を選択する前のいずれかの段階で、入力されてもよい。例えば、施工条件と同時に入力されてもよい。なお、施工例データに含まれていない物件条件は、入力されなくてもよい。この場合、物件条件は詳細に入力されてないため、選択された施工例データと適合可能な物件データが多くなる可能性があるが、十分に検索可能である。例えば、検索実行部８３は、施工例に適合可能な物件データを、ＡＩによって自動で検索して、希望者端末４０に閲覧可能に送信してもよい。
【００８４】
また、検索実行部８３は、物件希望者の属性（例えば、年齢、趣味等）に適合する施工例データを、ＡＩ等を利用して自動で検索してもよい。物件希望者が物件検索を行って不動産物件が選択されると（例えば、ステップＳ１９を参照）、検索実行部８３は、選択された不動産物件の物件データおよび物件希望者の属性に適合する施工例データを、自動で検索して、希望者端末４０に、不動産物件と対応するように閲覧可能に送信することができる。
【００８５】
また、物件検索および施工例検索は、別々に実行されるのではなく、入力された物件条件および施工条件から、まとめて同時に実行されてもよい。
【符号の説明】
【００８６】
１０    不動産仲介システム、
２０    通信ネットワーク、
３０    不動産業者端末、
４０    希望者端末、
５０    管理者端末、
６０    審査機関端末、
７０    仲介制御部、
７１    記憶装置、
７２    処理装置、
７３    通信装置、
８１    物件データ管理部、
８２    施工例データ管理部、
８３    検索実行部、
９０    施工業者端末。
【図１】
2020030824.tif 000003
【図２】
2020030824.tif 000004
【図３】
2020030824.tif 000005
【図４】
2020030824.tif 000006
【図５】
2020030824.tif 000007
【図６】
2020030824.tif 000008
【図７】
2020030824.tif 000009
【図８】
2020030824.tif 000010
【図９】
2020030824.tif 000011
【図１０】
2020030824.tif 000012
【図１１】
2020030824.tif 000013
【図１２】
2020030824.tif 000014
【図１３】
2020030824.tif 000015
【図１４】
2020030824.tif 000016
【図１５】
2020030824.tif 000017
【図１６】
2020030824.tif 000018
【図１７】
2020030824.tif 000019